(57)【要約】      （修正有） 【課題】多機能冷凍用コンプレッサー装置を提供する。【解決手段】ステンレス鋼製金属チューブ形フレーム９と、隔壁１４と、三相ＤＣブラシレスモーター１０と、電磁クラッチブレーキ１５と、強力磁石１３が付けられた二つの金属円盤１２と、片道流量制御電磁弁１７とを備え、フレーム９の内部に、隔壁１４によって第一空間５及び第二空間６に区画され、第一空間５には、隔壁１４の一面と対面する一つの金属円盤１２が設けられ、その金属円盤１２の片側に一つまたは複数の強力磁石１３が付けられ、中央の軸孔がダブル出力シャフト三相ＤＣブラシレスモーター１０の他端のシャフト８に係止され、モーター１０の後シャフトは圧縮機械アセンブリ１１の伝動シャフトに連結され、第二空間６にも、隔壁１４の他面と対面する一つの金属円盤１２が設けられ、その金属円盤１２の片側にも一つまたは複数の強力磁石１３が付けられ、三相ブラシレスオルタネータ１６のシャフトは電磁クラッチブレーキ１５とシリアル接続される。【選択図】図３
0003227743.tif 000002
【実用新案登録請求の範囲】
【請求項１】
多機能冷凍用コンプレッサー装置であって、ステンレス鋼製金属チューブ形フレームを備え、前記フレームの内部に、隔壁によって第一空間及び第二空間に区画され、
前記第一空間には、吐出口及び吸入口の二つの銅管が前記フレームの所定穴を通して前記フレームの外側にはんだ付けされ、圧縮冷媒が循環する機械アセンブリと、前記吸入口の銅管とはんだ付けされた片道流量制御電磁弁と、一端のシャフトが前記機械アセンブリのシャフトに係止され、電源コードが電源コンセントを付けて前記フレームの別の所定穴を通して前記フレームの外側にはんだ付けされダブル出力シャフト三相ＤＣブラシレスモーターと、片側に一つまたは複数の強力磁石が付けられ、中央の軸孔が前記ダブル出力シャフト三相ＤＣブラシレスモーターの他端のシャフトに係止された第一金属円盤と、前記フレームの開口を密封するようにはんだ付けされた密封カバーとを含み、
前記第二空間には、電磁クラッチブレーキと、シャフトが前記電磁クラッチブレーキとシリアル接続された三相ブラシレスオルタネータと、片側に一つまたは複数の強力磁石が付けられ、前記隔壁と間隔をおいて隣接するように前記電磁クラッチブレーキに係止された第二金属円盤と、を含むことを特徴とする、多機能冷凍用コンプレッサー装置。  
【請求項２】
さらに交替するように電力を提供する二つ以上の蓄電池を含むことを特徴とする、請求項１に記載の多機能冷凍用コンプレッサー装置。
【請求項３】
前記隔壁は、ステンレス鋼製のものであることを特徴とする、請求項１に記載の多機能冷凍用コンプレッサー装置。
【請求項４】
前記三相ブラシレスオルタネータは、コンプレッサー装置の冷却機能を起動すると共に、蓄電池を充電する電力と、照明を点灯する電力とを提供することを特徴とする、請求項３に記載の多機能冷凍用コンプレッサー装置。
【請求項５】
前記電磁クラッチブレーキは、電子回路基板によって前記三相ブラシレスオルタネータが作動するタイミングを制御することを特徴とする、請求項１に記載の多機能冷凍用コンプレッサー装置。
【請求項６】
前記電子回路基板は、さらに冷却機能を起動するタイミングを制御することを特徴とする、請求項５に記載の多機能冷凍用コンプレッサー装置。
【考案の詳細な説明】
【技術分野】
【０００１】
本考案は、冷凍用コンプレッサー装置に関し、特に、三相ブラシレスオルタネータと蓄電池を含む多機能冷凍用コンプレッサー装置に関する。
【背景技術】
【０００２】
現在市販の冷凍機（冷蔵庫）、空調装置（エアコン）などは、広く運用され、生活に欠かせない家電製品となっている。このような家電製品は、世界中の国や地域のほぼすべての家庭、店舗、オフィスビルなどに設置され、広く愛用されていますが、最もエネルギーを消費する製品の一つとなっている。
【０００３】
現在市販の冷凍空調装置は、その圧縮冷媒循環冷却システムはほぼ似たようなものであり、唯一の違いは圧縮機（コンプレッサー）内部の機械構造の区別、例えばターボ式、スクロール式、ピストン往復式など、目的や用途の違いこそあるが、同じように電気モーターを使って圧縮機を運転させる動力源としたものであるため、高い電圧と電流で駆動する必要があるので、エネルギーの消費が高くなる。
【０００４】
既知の通り、熱は高温から低温に移動することができますが、低温から高温に熱を移動する場合は、仕事を通じて得る必要がある。一般の冷却システムとは、低温空間（例えば、冷蔵庫）から熱を吸収して、機械（圧縮機）による仕事を通じて循環させ、より高温のオブジェクト（冷却媒体）または空間に熱を放散するものである。この作動流体（冷媒）がシステム内で繰り返す循環は、冷凍サイクルと称す。従来の圧縮機の一例として、図１のような構成が挙げられる：密閉型のスチールフレーム９ａの内部に、ＡＣモーター１０ａが設置され、モーター１０ａの回転子シャフト８ａは圧縮機械アセンブリ１１ａに連結され、圧縮機械アセンブリ１１ａの吸入口銅管６ａと吐出口鋼管７ａはフレーム外に延出してはんだ付けさる。このような従来の圧縮機の唯一の用途は、冷媒を圧縮循環によって冷却させることである。
【考案の概要】
【考案が解決しようとする課題】
【０００５】
従来の圧縮機の電気モーターは、発電所から供給されたＡＣ電圧を接続して駆動するものであり、エネルギーの消費が高くなる。
【課題を解決するための手段】
【０００６】
本考案は、従来の圧縮機の電気モーターの代わりに、三相ＤＣブラシレスモーターに置き換えると共に、三相ブラシレスオルタネータと永久磁石、及び電磁クラッチブレーキの組み合わせによって、改良された多機能冷凍用コンプレッサー装置を提供する。本考案の多機能冷凍用コンプレッサー装置は、ステンレス鋼製金属チューブ形フレームを備え、前記フレームの内部に、隔壁によって第一空間及び第二空間に区画され、前記第一空間には、吐出口及び吸入口の二つの銅管が前記フレームの所定穴を通して前記フレームの外側にはんだ付けされ、圧縮冷媒が循環する機械アセンブリと、前記吸入口の銅管とはんだ付けされた片道流量制御電磁弁と、一端のシャフトが前記機械アセンブリのシャフトに係止され、電源コードが電源コンセントを付けて前記フレームの別の所定穴を通して前記フレームの外側にはんだ付けされダブル出力シャフト三相ＤＣブラシレスモーターと、片側に一つまたは複数の強力磁石が付けられ、中央の軸孔が前記ダブル出力シャフト三相ＤＣブラシレスモーターの他端のシャフトに係止された第一金属円盤と、前記フレームの開口を密封するようにはんだ付けされた密封カバーとを含み、前記第二空間には、電磁クラッチブレーキと、シャフトが前記電磁クラッチブレーキとシリアル接続された三相ブラシレスオルタネータと、片側に一つまたは複数の強力磁石が付けられ、前記隔壁と間隔をおいて隣接するように前記電磁クラッチブレーキに係止された第二金属円盤と、を含む。
【０００７】
本考案の多機能冷凍用コンプレッサー装置において、さらに交替するように電力を提供する二つ以上の蓄電池を含む。
【０００８】
本考案の多機能冷凍用コンプレッサー装置において、前記隔壁は、ステンレス鋼製のものである。
【０００９】
本考案の多機能冷凍用コンプレッサー装置において、前記三相ブラシレスオルタネータは、コンプレッサー装置の冷却機能を起動すると共に、蓄電池を充電する電力と、照明を点灯する電力とを提供する。
【００１０】
本考案の多機能冷凍用コンプレッサー装置において、前記電磁クラッチブレーキは、電子回路基板によって前記三相ブラシレスオルタネータが作動するタイミングを制御する。
【００１１】
本考案の多機能冷凍用コンプレッサー装置において、前記電子回路基板は、さらに冷却機能を起動するタイミングを制御する。
【考案の効果】
【００１２】
磁石の異なる極性の相互引力の原理により、第一空間と第二空間の個別の磁石は互いに引き付けて駆動させることができるため、蓄電池よりコンプレッサーに運転する電力を供給して冷却すると同時に、磁石の引き付けによってオルタネータを作動し、蓄電池の充電と照明のために電気を生成できる。
【００１３】
また、本考案の多機能冷凍用コンプレッサー装置は、交替するように電力を提供する二つ以上の蓄電池を含むので、電子回路基板が使用中の蓄電池の電力低下を感知する時に、他の蓄電池に使用するように切り替え、その電力不足の蓄電池は即時に三相ブラシレスオルタネータに充電されて待機することができる。
【図面の簡単な説明】
【００１４】
【図１】従来の圧縮機を示す断面概略図である。
【図２】本考案の多機能冷凍用コンプレッサー装置の内部構造の一部を示す断面概略図である。
【図３】本考案の多機能冷凍用コンプレッサー装置の内部構造全体を示す断面概略図である。
【考案を実施するための形態】
【００１５】
図１、図２、図３を参照し、本考案は、発電所から供給されたＡＣ電圧を電力源として接続することなく、二つ以上の蓄電池によって給電する多機能冷凍用コンプレッサー装置である。本考案の多機能冷凍用コンプレッサー装置は、ステンレス鋼製チューブ形金属フレーム９を採用し、前記フレーム９をステンレス鋼製の隔壁１４でその中央にはんだ付けさせて第一空間５及び第二空間６に区画され、前記第一空間５内にダブル出力シャフト三相ＤＣブラシレスモーター１０が設けられ、モーター１０の電源コードはフレーム上の電源コンセント２０に接続され、且つダブル出力シャフト三相ＤＣブラシレスモーター１０のシャフト８上に金属円盤１２を取り付け、前記金属円盤１２上に強力磁石１３が付けられ、磁石のある一面は隔壁１４に一定の間隔をおいて接触しないように相対し、前記フレーム内の冷媒圧縮機械アセンブリは、既知のターボ式、スクロール式、ピストン往復式などの圧縮機械構造を採用してもいい。
【００１６】
図３を参照し、第二空間６の内部には、三相ブラシレスオルタネータ１６が設けられ、その三相ブラシレスオルタネータ１６のシャフト上に電磁クラッチブレーキ１５が取り付けられ、その電磁クラッチブレーキ１５上にもう一つの金属円盤１２が取り付けられ、前記金属円盤１２上にも強力磁石１３が付けられ、磁石のある一面は隔壁１４に一定の間隔をおいて相対する。従って、磁石の異なる極性の相互引力によって互いに引き付けて駆動させることにより、本考案の多機能冷凍用コンプレッサー装置を起動して冷媒を循環圧縮して冷却すると同時に、三相ブラシレスオルタネータ１６も相互引力によって回転し、発電と給電をするように働く。
【００１７】
そして、第二空間６の内部の片道流量制御電磁弁１７は、コンプレッサー装置の冷媒回収吸入口に設置して吸入口の銅管と連結し（コンプレッサーの外部に設置して吸入口の銅管と連結してもいい）、冷媒の流通を制御する。通常、コンプレッサーが起動して冷却を行う時に、オルタネータは制御上の需要で同時に回転して発電し、蓄電池の充電や照明を点灯する電力を提供する。しかし、冷却の温度が予定の温度に達する時に、オルタネータは制御上の需要で発電し続ける場合は、片道流量制御電磁弁は冷媒の循環通路を遮断して、オルタネータの運転を影響しないように冷却の機能を止める。
【００１８】
そのため、二つ以上のリチウム蓄電池を設置して、交替するように電力を冷凍空調装置内にある本考案の多機能冷凍用コンプレッサー装置に提供することで循環冷却を起動し、予定の温度により途切れない電源を提供することができる。
【００１９】
本考案の多機能冷凍用コンプレッサー装置は、冷却の過程中、または予定の温度に達し冷却を停止する時、いずれでも需要に応じてオルタネータを自動的に起動して蓄電池の充電や照明を点灯する電力を提供することができる。
【００２０】
上述したものは、単に例示的なものであって、本考案を限定するためのものではない。本考案の範囲及び趣旨を逸脱することなく均等範囲内における変更及び修正は、いずれも添付の実用新案登録請求の範囲で扱うものとする。
【符号の説明】
【００２１】
６ａ  圧縮機冷媒吸入口
７ａ  圧縮機冷媒吐出口
８ａ  モーターシャフト
９ａ  ステンレス鋼製金属チューブ形フレーム
１０ａ  ＤＣモーター
１１ａ  圧縮機械アセンブリ
７  圧縮機冷媒吐出口
８  モーター回転子シャフト
９  ステンレス鋼製金属チューブ形フレーム
１０  ダブル出力シャフト三相ＤＣブラシレスモーター
１１  圧縮機械アセンブリ
１２  金属円盤
１３  強力磁石
１４  ステンレス鋼製金属隔壁
１９  フレーム底部密封カバー
【図１】
0003227743.tif 000003
【図２】
0003227743.tif 000004
【図３】
0003227743.tif 000005